(57)【特許請求の範囲】
【請求項１】
表示領域と透光性の張出部とを有する液晶表示パネルと、
前記液晶表示パネルに照明光を供給する光源と、
前記光源から前記液晶表示パネルに至る照明経路中に配置される導光部材と、
前記液晶表示パネルの視認者側に配置される前面側筐体とを備え、
前記前面側筐体は、視認者側から前記表示領域を透視可能に設けられる透視部と、前記表示領域外となる前記透視部の周縁部分と重なる不可視部とを有し、
前記透視部の周縁部分には前記不可視部が形成されていない領域を利用して表示部が設けられ、
前記表示部は、視認者側から前記前面側筐体を正視した際に前記張出部と前記導光部材とに重なるように設けられ、
前記光源の点灯に伴い前記導光部材から出射される出射光の一部が前記張出部を通過して前記表示部に導かれることを特徴とする表示装置。
【請求項２】
表示領域を有する表示手段と、
前記表示手段に照明光を供給する光源と、
前記光源から前記表示手段に至る照明経路中に配置される導光部材と、
前記表示手段と前記光源と前記導光部材とを収容するとともに前記表示領域に対応するように表示窓部が形成されたフレーム体と、
前記表示手段の視認者側に配置される前面側筐体とを備え、
前記前面側筐体は、視認者側から前記表示領域を透視可能に設けられる透視部と、前記表示領域外となる前記透視部の周縁部分と重なる不可視部とを有し、
前記透視部の周縁部分には前記不可視部が形成されていない領域を利用して表示部が設けられ、
前記表示部は、視認者側から前記前面側筐体を正視した際に少なくとも前記導光部材と重なるように設けられ、
前記フレーム体は、前記表示部に対応して設けられる開口部を有し、
前記光源の点灯に伴い前記導光部材から出射される出射光の一部が前記開口部を通過して前記表示部に導かれることを特徴とする表示装置。
【発明の詳細な説明】
【技術分野】
【０００１】
本発明は、例えば自動車や自動２輪車等の車両に搭載される表示装置に関するものである。
【背景技術】
【０００２】
従来より、この種の表示装置にあっては、例えば下記特許文献１に記載されているものが知られている。この特許文献１に記載の表示装置は、車両に搭載された車両用計器からなり、各種情報が表示される矩形の表示領域を有する液晶表示パネル（表示手段）と、この液晶表示パネルに照明光を供給する光源と、この光源から液晶表示パネルに至る照明経路中に配置される導光部材と、液晶表示パネルの視認者側に配置される前面側筐体とを備え、前面側筐体は、視認者側から表示領域を透視可能に設けられる透明樹脂からなる透視部と、表示領域を除いた透視部箇所に設けられる黒色樹脂からなる略枠状の不可視部とが一体形成された構成となっている。
【０００３】
このような構成によれば、視認者は、透光部越しに、各種情報が表示される矩形の表示領域と、当該表示領域の四方を全て包囲するように前面側筐体に形成された略枠状の不可視部とを視認（透視）することができる。
【先行技術文献】
【特許文献】
【０００４】
【特許文献１】特開２０１４−１１９５７９号公報
【発明の概要】
【発明が解決しようとする課題】
【０００５】
ところで、特許文献１に記載の表示装置の場合、視認者は、各種情報が表示される矩形の表示領域と、当該表示領域の四方を全て包囲するように前面側筐体に形成された略枠状の不可視部とを視認する構成であり、矩形の表示領域と枠状の不可視部とで構成される表示装置全体の見栄えが面白みのないものとならざるを得なかった。
そこで本発明は、前述の課題に対して対処するため、新規な見栄えを実現し得る表示装置の提供を目的とするものである。
【課題を解決するための手段】
【０００６】
本発明は、表示領域と透光性の張出部とを有する液晶表示パネルと、前記液晶表示パネルに照明光を供給する光源と、前記光源から前記液晶表示パネルに至る照明経路中に配置される導光部材と、前記液晶表示パネルの視認者側に配置される前面側筐体とを備え、前記前面側筐体は、視認者側から前記表示領域を透視可能に設けられる透視部と、前記表示領域外となる前記透視部の周縁部分と重なる不可視部とを有し、前記透視部の周縁部分には前記不可視部が形成されていない領域を利用して表示部が設けられ、前記表示部は、視認者側から前記前面側筐体を正視した際に前記張出部と前記導光部材とに重なるように設けられ、前記光源の点灯に伴い前記導光部材から出射される出射光の一部が前記張出部を通過して前記表示部に導かれることを特徴とする。
【０００７】
また本発明は、表示領域を有する表示手段と、前記表示手段に照明光を供給する光源と、前記光源から前記表示手段に至る照明経路中に配置される導光部材と、前記表示手段と前記光源と前記導光部材とを収容するとともに前記表示領域に対応するように表示窓部が形成されたフレーム体と、前記表示手段の視認者側に配置される前面側筐体とを備え、前記前面側筐体は、視認者側から前記表示領域を透視可能に設けられる透視部と、前記表示領域外となる前記透視部の周縁部分と重なる不可視部とを有し、前記透視部の周縁部分には前記不可視部が形成されていない領域を利用して表示部が設けられ、前記表示部は、視認者側から前記前面側筐体を正視した際に少なくとも前記導光部材と重なるように設けられ、前記フレーム体は、前記表示部に対応して設けられる開口部を有し、前記光源の点灯に伴い前記導光部材から出射される出射光の一部が前記開口部を通過して前記表示部に導かれることを特徴とする。
【発明の効果】
【０００８】
本発明によれば、初期の目的を達成でき、新規な見栄えを実現し得る表示装置を提供できる。
【図面の簡単な説明】
【０００９】
【図１】本発明の実施形態による表示装置の正面図。
【図２】図１のＡ−Ａ断面図。
【発明を実施するための形態】
【００１０】
以下、図１、図２に基づいて、本発明の表示装置を車両に搭載される車両用計器に適用した場合を例に挙げて説明する。
【００１１】
図１、図２において、本実施形態による表示装置としての車両用計器Ｄは、各種車両情報を表示可能な表示領域Ｓを有する表示手段１０と、この表示手段１０に照明光を供給する光源２０と、この光源２０から表示手段１０に至る照明経路中に配置される導光部材３０と、この導光部材３０を保持する樹脂ケース４０と、光源２０や導光部材３０、樹脂ケース４０を包囲するように設けられる導電性（金属製）のフレーム体５０と、表示手段１０の前方側（視認者側）に配置される前面側筐体６０と、表示手段１０の背面側（視認者側とは反対側）に位置する回路基板７０と、光源２０や回路基板６０等を収容する背面側筐体８０とを備えている。
【００１２】
表示手段１０、例えば上側透明基板１１と下側透明基板１２との間に液晶が封入されるとともに両透明基板１１、１２の表裏面に上側偏光板１３、下側偏光板１４が各々貼り付けられた矩形状の液晶表示パネルからなり、この場合、車速情報や走行距離情報等の各種車両情報を表示可能な情報表示部１５を有している。この情報表示部１５は、上述した表示領域Ｓに表示される。なお、本例の場合、上側透明基板１１から張り出している下側透明基板１２の張出部１６には下側偏光板１４が貼り付けられていないため、張出部１６は光を透過することが可能と光透過部を構成する。
【００１３】
光源２０は、例えば白色光を発するチップ型発光ダイオードからなり、導光部材３０の後述する受光部と対向するように回路基板７０上に実装されている。なお、光源２０の個数は、前記受光部の下端面の形状（面積）に対応させて必要な個数だけ設ければよい。
【００１４】
導光部材３０は、透光性合成樹脂材料にて形成され、表示手段１０の背後に沿うように配置される略矩形状の本体部３１と、光源２０と対向するように本体部３１に一体形成され、光源２０からの照明光を受光する受光部３２とを備えている。
【００１５】
この受光部３２は、本体部３１の一側壁部から光源２０の発光面に向けて垂下するように曲げられた構成となっており、その真上には、主に受光部３２内に導入された照明光を本体部３１側に反射導光させるとともに、当該照明光を前面側筐体６０に備えられる後述する表示部に導く機能を有する曲面形状もしくは傾斜面形状からなる導光面３３が設けられている。
【００１６】
３４は、受光部３２及び導光面３３を通じて本体部３１内に反射導光された照明光を表示手段１０側に出射するための平坦面からなる光出射面であり、この光出射面３４は、視認者側を向く本体部３１の前面に設けられる。
【００１７】
樹脂ケース４０は、例えば白色の合成樹脂材料によって形成されるものであり、表示手段１０や本体部３１を保持する保持部４１を有している。この場合、保持部４１は、表示手段１０や本体部３１を保持する保持体としての機能に加えて、本体部３１に導入された照明光を効率よく光出射面３４側に導くための光反射面としての機能を有している。
【００１８】
フレーム体５０は、導電性材料によって形成され、表示手段１０と光源２０と導光部材３０等を収容（収納）する導電性筐体である。このフレーム体５０は、前面壁部５１と側壁部５２とを備え、フレーム体５０における前面壁部５１には、表示領域Ｓに対応するように表示窓部５３が開口形成されている。なお、５４は、表示窓部５３に隣接するように、前面壁部５１に開口形成された開口孔としての開口部であり、この開口部５４は、前記表示部に対応するように設けられている。
【００１９】
一方、側壁部５２は、樹脂ケース４０の外壁部４２を包囲しており、例えば側壁部５２の底部に一体形成された略Ｌ字状のカシメ片（図示せず）が回路基板７０の背面にカシメ固定されることで、フレーム体５０の内部に表示手段１０や光源２０、導光部材３０、樹脂ケース４０、回路基板７０等の内機部品が固定保持される構成となっている。
【００２０】
前面側筐体６０は、透光性の合成樹脂材料によって形成された透視部６１と、遮光性（例えば黒色）の合成樹脂材料によって形成された不透過部としての不可視部６２とを備えている。この場合、例えば透視部６１が不可視部６２にインサート成型されることで、前面側筐体６０を得ることができる。
【００２１】
透視部６１は、視認者側から表示領域Ｓを透視可能に設けられる略平板状の透視パネルからなり、表示手段１０（車両用計器Ｄ）を視認する視認者は透視部６１を通じて表示領域Ｓに表示される情報表示部１５を透視（視認）することができるようになっている。
【００２２】
不可視部６２は、フレーム体５０の前面壁部５１を隠蔽するとともにフレーム体５０の表示窓部５３を隠蔽しないように透視部６１の背面側に設けられる前面遮光壁６３と、フレーム体５０の側壁部５２の一部を取り囲む側面遮光部６４とを有している。
【００２３】
また、この場合、透視部６１は、文字やマーク、記号等からなる所定の表示意匠を形成する表示部６５を有している。この場合、表示部６５は、表示領域Ｓを除いた透視部６１箇所（透視部６１の背面箇所）に重ねて設けられる前面遮光壁６３（不可視部６２）の非形成領域に、例えば白色の透光性インクを用いて印刷形成された透光性印刷層からなる。なお、前面遮光壁６３（不可視部６２）の非形成領域は、開口部５４と対峙する（向かい合う）ように構成される。
【００２４】
つまり、ここでの表示部６５は、開口部５４と向かい合う前面遮光壁６３（不可視部６２）の非形成領域箇所に形成されるとともに、視認者側から前面側筐体６０を正視した際に張出部１６と導光面３３（導光部材３０）とに重なるように設けられる。
【００２５】
回路基板７０は、例えばガラスエポキシ系基材に配線パターン（図示せず）が施された硬質配線基板からなり、例えば表示手段１０の制御を行う制御手段（図示せず）と、光源２０と、抵抗、コンデンサ等の回路部品（図示せず）とが前記配線パターンに導通接続されている。
【００２６】
背面側筐体８０は、例えば合成樹脂材料からなり、略箱形形状に形成される。そして、この場合、この背面側筐体８０と前面側筐体６０とで車両用計器Ｄの外装ケースを構成している。
【００２７】
以上の各部により車両用計器Ｄが構成されている。ここで、表示部６５と、前面壁部５１（フレーム体５０）に設けられる開口部５４と、表示手段１０に設けられる光透過性の張出部１６と、導光部材３０の導光面３３の位置関係に着目すると、前面側筐体６０側から回路基板７０側に向かうに従って、表示部６５、開口部５４、張出部１６、導光面３３の順に配置され、表示部６５の直下（真下）に開口部５４が位置し、開口部５４の直下（真下）に光透過部である張出部１６が位置し、さらに張出部１６の直下（真下）に導光面３３が位置している構成となっている。
【００２８】
従って、光源２０が点灯すると、光源２０から発せられた照明光は受光部３２に到達し、この受光部３２に到達した照明光は、導光面３３によって本体部３１側に反射導光され最終的に光出射面３４から出射される第１の出射光と、導光面３３から出射され最終的に表示部６５に到達する第２の出射光とに大別される。
【００２９】
本体部３１側に反射導光された反射光は、光出射面３４から前記第１の出射光として出射され、表示手段１０へと至り、これにより情報表示部１５がバックライト照明される。
【００３０】
また、導光面３３から出射される第２の出射光は、そのまま前方側（視認者側）に向けて真っ直ぐ進み、表示手段１０の張出部１６を透過（通過）するとともにフレーム体５０の開口部５４を通過し、前面側筐体６０の透視部６１に形成された表示部６５へと至る。この表示部６５へと至った第２の出射光は、表示部６５及び表示部６５に対応する透光部６１箇所を透過し、これにより視認者側から前面側筐体６０を正視すると、視認者は、前面遮光壁６３の一部分に、白色で発光表示された表示部６５を視認することができる。
【００３１】
つまり、本例によれば、光源２０の点灯に伴い、導光部材３０から出射される出射光の一部（つまり、第１、第２の出射光のうち第２の出射光のみ）が張出部１６及びフレーム体５０に設けられた開口部５４を通過して表示部６５に導かれる構成となり、これにより前面遮光壁６３の一部分を利用して表示部６５が発光表示されることになる。
【００３２】
以上のように本実施形態では、表示領域Ｓを有する表示手段１０と、この表示手段１０に照明光を供給する光源２０と、この光源２０から表示手段１０に至る照明経路中に配置される導光部材３０と、表示手段１０と光源２０と導光部材３０とを収容するとともに表示領域Ｓに対応するように表示窓部５３が形成されたフレーム体５０と、表示手段１０の視認者側に配置される前面側筐体６０とを備え、前面側筐体６０は、視認者側から表示領域Ｓを透視可能に設けられる透視部６１と、所定の表示意匠を形成する表示部６５とを有し、表示部６５は、表示領域Ｓを除いた透視部６１箇所に設けられる不可視部６２の非形成領域に形成されるとともに、視認者側から前面側筐体６０を正視した際に張出部１６と導光部材３０（導光面３３）とに重なるように設けられ、光源２０の点灯に伴い、導光部材３０から出射される出射光の一部（つまり第１、第２の出射光のうち第２の出射光のみ）がフレーム体５０に設けられた開口部５４を通過して表示部６５に導かれるものである。
【００３３】
従って、前面遮光壁６３の一部分に設けられる文字等の表示部６５を、背後からの前記第２の出射光を利用して（つまり表示手段１０を照明するための照明光の一部を利用して）発光表示させることが可能となるため、視認者側から車両用計器Ｄを正視したときの車両用計器Ｄの外観（見栄え）が一風変わった斬新さのある（面白みのある）ものとなり、新規な見栄えを実現し得る表示装置を提供することができる。さらに、この場合、表示部６５及び表示手段１０を単一の光源２０で照明することが可能となり、表示部６５を照明するにあたって、表示部６５を照明するための専用の表示部照明用光源が別途、不要となるため、コストアップを避けながら新規な見栄えを実現することができる。
【００３４】
なお、本発明は、上述の実施形態及び図面によって限定されるものではない。本発明の要旨を変更しない範囲で、適宜、実施形態及び図面に変更（構成要素の削除も含む）を加えることが可能である。
【００３５】
例えば、上述した実施形態では、表示手段１０等を収容するフレーム体５０に設けられた開口部５４及び表示手段１０に設けられた張出部１６を利用して第２の出射光を表示部６５へと導くものであったが、例えば張出部１６自体を廃止して、光源２０の点灯に伴い、導光部材３０から出射される出射光の一部（つまり第２の出射光）が開口部５４のみを通過して表示部６５に導かれるようにしてもよい。つまり、このとき、表示部６５は、視認者側から前面側筐体６０を正視した際に導光部材３０のみと重なるように設けられることになる。
【００３６】
さらには、張出部１６に加えて、開口部５４が形成されたフレーム体５０自体も廃止してもよく、この場合、光源２０の点灯に伴い、導光部材３０から出射される出射光の一部（つまり第２の出射光）がダイレクトに表示部６５に導かれることになり、これにより前面側筐体６０の一部に設けられる文字等の表示部６５が発光表示される構成となる。なお、この場合においても、表示部６５は、視認者側から前面側筐体６０を正視した際に導光部材３０のみと重なるように設けられることになる。
【００３７】
また、フレーム体５０に設けられる開口部５４の形状は、第２の出射光を表示部６５側に導くことができるものであれば、あらゆる形状を採用することができることは言うまでもない。そして、この場合、表示部６５は、白色の透光性印刷層で形成されているが、例えば表示部６５を不可視部６２の色調と異なる色調の透光性印刷層で形成してもよい。
【符号の説明】
【００３８】
Ｄ    車両用計器（表示装置）
１０    表示手段
１６    張出部
２０    光源
３０    導光部材
３１    本体部
３２    受光部
３３    導光面
３４    光出射面
５０    フレーム体
５１    前面壁部
５３    表示窓部
５４    開口部
６０    前面側筐体
６１    透視部
６２    不可視部
６５    表示部
Ｓ    表示領域
【図１】
0006634756.tif 000002
【図２】
0006634756.tif 000003